(57)【要約】【課題】グリップ性能及び水はけ性能の両方に優れた空気入りタイヤの提供。【解決手段】タイヤのトレッド１２は、ベース２６とリブ２８とを備えている。このリブ２８は、主部４６とサイド部４８とを有している。サイド部４８は、軸方向において、主部４６よりも内側又は外側に位置している。サイド部４８の硬度は、主部４６の硬度よりも大きい。サイド部４８の硬度Ｈｓの、主部４６の硬度Ｈｍに対する比（Ｈｓ／Ｈｍ）は、１．４以上である。サイド部４８の断面形状は、三角形である。サイド部４８は、半径方向外向きにテーパーである。サイド部４８の底辺の幅Ｗの、サイド部４８の高さＨに対する比（Ｗ／Ｈ）は、０．３以上１．２以下である。【選択図】図２
2015107776.tif 000002
【特許請求の範囲】
【請求項１】
トレッドを備えており、
上記トレッドが、ベースと、このベースよりも半径方向外向きに突出する凸部とを有しており、
上記凸部が、接地面を有する主部と、この主部よりも軸方向において内側又は外側に位置するサイド部とを有しており、
上記サイド部の軸方向断面における形状が、半径方向外向きにテーパーであり、
上記サイド部の硬度が上記主部の硬度よりも大きい空気入りタイヤ。
【請求項２】
上記サイド部の軸方向断面における形状が、略三角形である請求項１に記載のタイヤ。
【請求項３】
上記サイド部の材質が上記ベースの材質と同一である請求項１又は２に記載のタイヤ。
【請求項４】
上記軸方向断面において、上記サイド部の底辺の幅Ｗの、上記サイド部の高さＨに対する比（Ｗ／Ｈ）が、０．５以上１．０以下である請求項１から３のいずれかに記載のタイヤ。
【請求項５】
上記サイド部のＪＩＳ−Ａ硬度Ｈｓの、上記主部のＪＩＳ−Ａ硬度Ｈｍに対する比（Ｈｓ／Ｈｍ）が、１．５以上である請求項１から４のいずれかに記載のタイヤ。
【請求項６】
上記凸部が、軸方向断面において上記主部よりも左側に位置する第一サイド部と、上記軸方向断面において上記主部よりも右側に位置する第二サイド部とを有する請求項１から５のいずれかに記載のタイヤ。
【請求項７】
上記凸部が、周方向に延在するリブである請求項１から６のいずれかに記載のタイヤ。
【請求項８】
上記凸部が、凹部で囲まれたブロックである請求項１から６のいずれかに記載のタイヤ。
【発明の詳細な説明】
【技術分野】
【０００１】
本発明は、空気入りタイヤに関する。詳細には、本発明は、そのトレッドが凸部を有する空気入りタイヤに関する。
【背景技術】
【０００２】
空気入りタイヤのトレッドには、優れたグリップ性能が要求される。グリップ性能に優れたトレッドを有するタイヤは、スリップしにくい。比較的軟質な架橋ゴムがトレッドに用いられることにより、優れたグリップ性能が達成されうる。
【０００３】
トレッドは、溝と凸部とからなる。凸部は、リブ又はブロックである。トレッドには、適度な剛性が要求される。その剛性が高いトレッドでは、車両の荷重に起因する凸部の圧縮変形の量が小さい。その剛性が高いトレッドでは、横方向の力に起因する凸部の曲げ変形の量が小さい。圧縮変形及び曲げ変形の量が小さい凸部を有するトレッドでは、この凸部によって溝の容積が減じられることが抑制される。このトレッドは、雨天下での走行時の水はけ性能に優れる。このトレッドを有するタイヤでは、ハイドロプレーニングが生じにくい。比較的硬質な架橋ゴムがトレッドに用いられることにより、ハイドロプレーニングが抑制されうる。
【０００４】
トレッドがベース層とキャップ層との２層を有するタイヤが、市販されている。ベース層は硬質であり、キャップ層は軟質である。ベース層は、トレッドの剛性に寄与する。キャップ層は、タイヤのグリップ性能に寄与する。
【０００５】
トレッドがベース層とキャップ層との２層を有するタイヤでは、キャップ層の変形により、溝の容積が減じられる。このタイヤでも、グリップ性能と水はけ性能とは両立されえない。
【０００６】
図８には、凸部２が主部４と２つのサイド部６とからなるトレッド８が示されている。主部４は、２つのサイド部６に挟まれている。主部４は、比較的軟質である。この主部４は、グリップ性能に寄与する。それぞれのサイド部６は、比較的硬質である。このサイド部６は、凸部２の変形を抑制する。換言すれば、サイド部６は、凸部２の剛性を高める。このサイド部６は、水はけ性能に寄与する。主部４とサイド部６とを備えたタイヤが、特開平７−８１３２６号公報に開示されている。
【先行技術文献】
【特許文献】
【０００７】
【特許文献１】特開平７−８１３２６号公報
【発明の概要】
【発明が解決しようとする課題】
【０００８】
図８に示されたタイヤにおいて、サイド部６が大きな厚みＴを有する場合、凸部２の剛性は大きい。このタイヤは、水はけ性能に優れる。しかし、このタイヤでは、主部４と地面との接触面積（すなわち接地面積）が小さい。このタイヤは、グリップ性能に劣る。
【０００９】
図８に示されたタイヤにおいて、サイド部６が小さな厚みＴを有する場合、主部４と地面との接触面積は大きい。このタイヤは、グリップ性能に優れる。しかし、このタイヤでは、凸部２の剛性は小さい。このタイヤは、水はけ性能に劣る。
【００１０】
本発明の目的は、グリップ性能及び水はけ性能の両方に優れた空気入りタイヤの提供にある。
【課題を解決するための手段】
【００１１】
本発明に係る空気入りタイヤは、トレッドを備える。このトレッドは、ベースと、このベースよりも半径方向外向きに突出する凸部とを有する。この凸部は、接地面を有する主部と、この主部よりも軸方向において内側又は外側に位置するサイド部とを有する。このサイド部の軸方向断面における形状は、半径方向外向きにテーパーである。サイド部の硬度は、主部の硬度よりも大きい。
【００１２】
好ましくは、サイド部の軸方向断面における形状は、略三角形である。
【００１３】
好ましくは、サイド部の材質は、ベースの材質と同一である。
【００１４】
好ましくは、軸方向断面において、サイド部の底辺の幅Ｗの、サイド部の高さＨに対する比（Ｗ／Ｈ）は、０．５以上１．０以下である。
【００１５】
サイド部のＪＩＳ−Ａ硬度Ｈｓの、主部のＪＩＳ−Ａ硬度Ｈｍに対する比（Ｈｓ／Ｈｍ）は、１．５以上である。
【００１６】
好ましくは、凸部は、軸方向断面において主部よりも左側に位置する第一サイド部と、軸方向断面において主部よりも右側に位置する第二サイド部とを有する。
【００１７】
好ましくは、凸部は、周方向に延在するリブである。
【００１８】
凸部がブロックであってもよい。このブロックは、凹部に囲まれている。
【発明の効果】
【００１９】
本発明に係る空気入りタイヤのトレッドでは、凸部がサイド部を有している。従って、この凸部の剛性は大きい。このトレッドでは、溝の容積が減じられにくい。このタイヤは、水はけ性能に優れる。このタイヤでは、ハイドロプレーニングが抑制されうる。サイド部の断面は略三角形なので、主部の接地面積が大きい。このタイヤは、グリップ性能にも優れる。
【図面の簡単な説明】
【００２０】
【図１】図１は、本発明の一実施形態に係る空気入りタイヤの一部が示された断面図である。
【図２】図２は、図１のタイヤのトレッドの一部が示された拡大断面図である。
【図３】図３は、図２のトレッドの一部が示された拡大断面図である。
【図４】図４は、本発明の他の実施形態に係る空気入りタイヤのトレッドの一部が示された断面図である。
【図５】図５は、図４のトレッドの一部が示された拡大断面図である。
【図６】図６は、本発明のさらに他の実施形態に係る空気入りタイヤのトレッドの一部が示された断面図である。
【図７】図７は、図６のトレッドの一部が示された拡大断面図である。
【図８】図８は、従来のタイヤのトレッドの一部が示された断面図である。
【発明を実施するための形態】
【００２１】
以下、適宜図面が参照されつつ、好ましい実施形態に基づいて本発明が詳細に説明される。
【００２２】
図１には、空気入りタイヤ１０が示されている。図１において、上下方向がタイヤ１０の半径方向であり、左右方向がタイヤ１０の軸方向であり、紙面との垂直方向がタイヤ１０の周方向である。図１において、一点鎖線ＣＬはタイヤ１０の赤道面を表わす。このタイヤ１０の形状は、トレッドパターンを除き、赤道面に対して対称である。
【００２３】
このタイヤ１０は、トレッド１２、サイドウォール１４、クリンチ１６、ビード１８、カーカス１９、ベルト２０、バンド２２及びインナーライナー２４を備えている。このタイヤ１０は、チューブレスタイプである。このタイヤ１０は、乗用車に装着される。
【００２４】
トレッド１２は、ベース２６と、複数のリブ２８（凸部）と、複数の主溝３０とを備えている。それぞれのリブ２８は、ベース２６よりも半径方向外向きに突出している。このリブ２８は、周方向に延在している。それぞれの主溝３０は、周方向に延在している。それぞれの主溝３０は、リブ２８とこれに隣接する他のリブ２８とに挟まれている。図示されていないが、トレッド１２は、複数の副溝を有している。それぞれの副溝は、周方向に対して傾斜している。
【００２５】
サイドウォール１４は、トレッド１２の端から半径方向略内向きに延びている。このサイドウォール１４の半径方向外側端は、トレッド１２と接合されている。このサイドウォール１４の半径方向内側端は、クリンチ１６と接合されている。このサイドウォール１４は、耐カット性及び耐候性に優れた架橋ゴムからなる。このサイドウォール１４は、カーカス１９の損傷を防止する。サイドウォール１４は、リムプロテクター３２を備えている。リムプロテクター３２は、軸方向外側に向かって突出している。このタイヤ１０が装着されるリムのフランジの損傷を、リムプロテクター３２は防止する。
【００２６】
クリンチ１６は、サイドウォール１４の半径方向略内側に位置している。クリンチ１６は、軸方向において、ビード１８及びカーカス１９よりも外側に位置している。クリンチ１６は、耐摩耗性に優れた架橋ゴムからなる。クリンチ１６は、リムのフランジと当接する。
【００２７】
ビード１８は、クリンチ１６の軸方向内側に位置している。ビード１８は、コア３４と、このコア３４から半径方向外向きに延びるエイペックス３６とを備えている。コア３４は、リング状である。コア３４は、巻回された非伸縮性ワイヤーを含む。ワイヤーの典型的な材質は、スチールである。エイペックス３６は、半径方向外向きに先細りである。エイペックス３６は、高硬度な架橋ゴムからなる。
【００２８】
カーカス１９は、第一プライ３８及び第二プライ４０からなる。第一プライ３８及び第二プライ４０は、両側のビード１８の間に架け渡されており、トレッド１２及びサイドウォール１４に沿っている。第一プライ３８は、コア３４の周りにて、軸方向内側から外側に向かって折り返されている。この折り返しにより、第一プライ３８に、主部３８ａと折り返し部３８ｂとが形成されている。第二プライ４０は、コア３４の周りにて、軸方向内側から外側に向かって折り返されている。この折り返しにより、第二プライ４０に、主部４０ａと折り返し部４０ｂとが形成されている。第一プライ３８の折り返し部３８ｂの端３８ｅは、半径方向において、第二プライ４０の折り返し部４０ｂの端４０ｅよりも外側に位置している。
【００２９】
それぞれのカーカスプライは、並列された多数のコードとトッピングゴムとからなる。それぞれのコードが赤道面に対してなす角度の絶対値は、７５°から９０°である。換言すれば、このカーカス１９はラジアル構造を有する。コードは、有機繊維からなる。好ましい有機繊維として、ポリエステル繊維、ナイロン繊維、レーヨン繊維、ポリエチレンナフタレート繊維及びアラミド繊維が例示される。カーカス１９が、１枚のプライから形成されてもよい。
【００３０】
ベルト２０は、トレッド１２の半径方向内側に位置している。ベルト２０は、カーカス１９と積層されている。ベルト２０は、カーカス１９を補強する。ベルト２０は、内側層４２及び外側層４４からなる。図１から明らかなように、軸方向において、内側層４２の幅は外側層４４の幅よりも若干大きい。図示されていないが、内側層４２及び外側層４４のそれぞれは、並列された多数のコードとトッピングゴムとからなる。それぞれのコードは、赤道面に対して傾斜している。傾斜角度の一般的な絶対値は、１０°以上３５°以下である。内側層４２のコードの赤道面に対する傾斜方向は、外側層４４のコードの赤道面に対する傾斜方向とは逆である。コードの好ましい材質は、スチールである。コードに、有機繊維が用いられてもよい。ベルト２０の軸方向幅は、タイヤ１０の最大幅の０．７倍以上が好ましい。ベルト２０が、３以上の層を備えてもよい。
【００３１】
バンド２２は、ベルト２０の半径方向外側に位置している。軸方向において、バンド２２の幅はベルト２０の幅よりも大きい。図示されていないが、このバンド２２は、コードとトッピングゴムとからなる。コードは、螺旋状に巻かれている。このバンド２２は、いわゆるジョイントレス構造を有する。コードは、実質的に周方向に延びている。周方向に対するコードの角度は、５°以下であり、さらには２°以下である。このコードによりベルト２０が拘束されるので、ベルト２０のリフティングが抑制される。コードは、有機繊維からなる。好ましい有機繊維として、ナイロン繊維、ポリエステル繊維、レーヨン繊維、ポリエチレンナフタレート繊維及びアラミド繊維が例示される。
【００３２】
ベルト２０及びバンド２２は、補強層を構成している。ベルト２０のみから、補強層が構成されてもよい。バンド２２のみから、補強層が構成されてもよい。
【００３３】
インナーライナー２４は、カーカス１９の内側に位置している。赤道面の近傍において、インナーライナー２４は、カーカス１９の内面に接合されている。インナーライナー２４は、架橋ゴムからなる。インナーライナー２４には、空気遮蔽性に優れたゴムが用いられている。インナーライナー２４の典型的な基材ゴムは、ブチルゴム又はハロゲン化ブチルゴムである。インナーライナー２４は、タイヤ１０の内圧を保持する。
【００３４】
図２に示されるように、リブ２８は、主部４６とサイド部４８とを有している。主部４６は、リング状である。主部４６は、接地面５０を有している。サイド部４８は、軸方向において、主部４６よりも内側又は外側に位置している。サイド部４８は、リング状である。
【００３５】
主部４６の材質は、架橋ゴムである。サイド部４８の材質は、他の架橋ゴムである。サイド部４８の硬度は、主部４６の硬度よりも大きい。本実施形態では、サイド部４８の材質は、ベース２６の材質と同一である。本実施形態では、サイド部４８は、ベース２６と一体で予備成形される。
【００３６】
図３に示された仮想線（二点鎖線）は、サイド部４８とベース２６との境界である。サイド部４８の軸方向断面における形状は、略三角形である。このサイド部４８は、半径方向外向きにテーパーである。仮想線は、この三角形の底辺に相当する。
【００３７】
このタイヤ１０では、硬度が小さな主部４６により、地面とタイヤ１０との大きな摩擦係数が達成される。この主部４６は、グリップ性能に寄与する。
【００３８】
このタイヤ１０では、サイド部４８が凸部の変形を抑制する。このサイド部４８は、リブ２８の剛性を高める。このサイド部４８は、水はけ性能に寄与する。このタイヤ１０では、ハイドロプレーニングが生じにくい。
【００３９】
前述の通り、サイド部４８の断面形状は略三角形である。従って、サイド部４８が十分なボリュームを有するにもかかわらず、接地面５０でのサイド部４８の露出面積が小さい。サイド部４８が十分なボリュームを有するので、リブ２８の剛性は大きい。接地面５０でのサイド部４８の露出面積が小さいので、このサイド部４８はトレッド１２のグリップ性能を阻害しない。このタイヤ１０では、グリップ性能と水はけ性能とが両立される。
【００４０】
図２には、３つのリブ２８が示されている。図２における中央に位置するリブ２８Ｃは、主部４６よりも左側に位置する第一サイド部４８Ｌと、主部４６よりも右側に位置する第二サイド部４８Ｒとを有している。このリブ２８Ｃの主部４６は、２つのサイド部４８に挟まれている。このリブ２８Ｃの剛性は、大きい。このリブ２８Ｃは、水はけ性能に大きく寄与する。
【００４１】
グリップ性能の観点から、主部４６の硬度Ｈｍは４０以下が好ましく、３０以下が特に好ましい。耐摩耗性の観点から、硬度Ｈｍは２５以上が好ましい。
【００４２】
水はけ性能の観点から、サイド部４８の硬度Ｈｓは４０以上が好ましく、５０以上が特に好ましい。乗り心地の観点から、硬度Ｈｓは９０以下が好ましい。
【００４３】
グリップ性能と水はけ性能との両立の観点から、硬度Ｈｓの硬度Ｈｍに対する比（Ｈｓ／Ｈｍ）は、１．４以上が好ましく、１．５以上が特に好ましい。比（Ｈｓ／Ｈｍ）は、３．０以下が好ましい。
【００４４】
硬度Ｈｍ及びＨｓは、「ＪＩＳ  Ｋ６２５３」の規定に準じ、タイプＡのデュロメータによって測定される。図１に示された断面にこのデュロメータが押し付けられ、硬度が測定される。測定は、２３℃の温度下でなされる。
【００４５】
図３において、矢印Ｗで示されているのはサイド部４８の底辺の幅であり、矢印Ｈで示されているのはサイド部４８の高さである。幅Ｗの高さＨに対する比（Ｗ／Ｈ）は、０．３以上１．２以下が好ましい。この比（Ｗ／Ｈ）が０．３以上であるリブ２８の剛性は、大きい。このリブ２８を有するタイヤ１０は、水はけ性能に優れる。この観点から、比（Ｗ／Ｈ）は０．５以上が特に好ましい。この比（Ｗ／Ｈ）が１．２以下であるリブ２８は、グリップ性能を阻害しない。この観点から、比（Ｗ／Ｈ）は１．０以下が特に好ましい。
【００４６】
サイド部４８が、三角形以外の断面形状を有してもよい。サイド部４８の断面形状は、半径方向外向きにテーパー（先細り）であればよい。半径方向外向きにテーパーである、三角形以外の形状の一例として、台形が挙げられる。
【００４７】
本発明では、タイヤ１０の各部材の寸法及び角度は、タイヤ１０が正規リムに組み込まれ、正規内圧となるようにタイヤ１０に空気が充填された状態で測定される。測定時には、タイヤ１０には荷重がかけられない。本明細書において正規リムとは、タイヤ１０が依拠する規格において定められたリムを意味する。ＪＡＴＭＡ規格における「標準リム」、ＴＲＡ規格における「Design Rim」、及びＥＴＲＴＯ規格における「Measuring Rim」は、正規リムである。本明細書において正規内圧とは、タイヤ１０が依拠する規格において定められた内圧を意味する。ＪＡＴＭＡ規格における「最高空気圧」、ＴＲＡ規格における「TIRE LOAD LIMITS AT VARIOUS COLD INFLATION PRESSURES」に掲載された「最大値」、及びＥＴＲＴＯ規格における「INFLATION PRESSURE」は、正規内圧である。乗用車用タイヤ１０の場合は、内圧が１８０ｋＰａの状態で、寸法及び角度が測定される。
【００４８】
図４には、本発明の他の実施形態に係るタイヤのトレッド５２が示されている。このタイヤの、トレッド５２以外の部材の構造は、図１に示されたタイヤ１０のそれらと同じである。このトレッド５２は、ベース５４と、複数のリブ５６（凸部）と、複数の主溝５８と、複数のカバー層６０とを備えている。それぞれのリブ５６は、ベース５４よりも半径方向外向きに突出している。このリブ５６は、周方向に延在している。それぞれの主溝５８は、周方向に延在している。それぞれの主溝５８は、リブ５６とこれに隣接する他のリブ５６とに挟まれている。図示されていないが、トレッド５２は、複数の副溝を有している。それぞれの副溝は、周方向に対して傾斜している。
【００４９】
リブ５６は、主部６２とサイド部６４とを有している。主部６２は、リング状である。主部６２は、接地面６６を有している。サイド部６４は、軸方向において、主部６２よりも内側又は外側に位置している。サイド部６４は、リング状である。本実施形態では、サイド部６４の材質は、ベース５４の材質と同一である。本実施形態では、サイド部６４は、ベース５４と一体で予備成形される。
【００５０】
カバー層６０は、サイド部６４の一部を覆っている。カバー層６０はさらに、ベース５４の一部を覆っている。本実施形態では、カバー層６０の材質は、主部６２の材質と同一である。本実施形態では、カバー層６０は、主部６２と一体で予備成形される。
【００５１】
主部６２の材質は、図２に示された主部４６の材質と同じである。サイド部６４の材質は、図２に示されたサイド部４８の材質と同じである。サイド部６４の硬度は、主部６２の硬度よりも大きい。
【００５２】
図５に示された仮想線（二点鎖線）は、サイド部６４とベース５４との境界である。サイド部６４の軸方向断面における形状は、略三角形である。このサイド部６４は、半径方向外向きにテーパーである。仮想線は、この三角形の底辺に相当する。
【００５３】
このタイヤでは、サイド部６４の断面形状が三角形なので、サイド部６４が十分なボリュームを有するにもかかわらず、接地面６６でのサイド部６４の露出面積が小さい。サイド部６４が十分なボリュームを有するので、凸部の剛性は大きい。接地面６６でのサイド部６４の露出面積が小さいので、このサイド部６４はトレッド５２のグリップ性能を阻害しない。このタイヤでは、グリップ性能と水はけ性能とが両立される。
【００５４】
このタイヤのサイド部６４においても、幅Ｗの高さＨに対する比（Ｗ／Ｈ）は、０．３以上１．２以下が好ましい。比（Ｗ／Ｈ）は、０．５以上が特に好ましい。比（Ｗ／Ｈ）は、１．０以下が特に好ましい。
【００５５】
図６には、本発明のさらに他の実施形態に係るタイヤのトレッド６８が示されている。このタイヤの、トレッド６８以外の部材の構造は、図１に示されたタイヤ１０のそれらと同じである。このトレッド６８は、ベース７０と、複数のリブ７２（凸部）と、複数の主溝７４とを備えている。それぞれのリブ７２は、ベース７０よりも半径方向外向きに突出している。このリブ７２は、周方向に延在している。それぞれの主溝７４は、周方向に延在している。それぞれの主溝７４は、リブ７２とこれに隣接する他のリブ７２とに挟まれている。図示されていないが、トレッド６８は、複数の副溝を有している。それぞれの副溝は、周方向に対して傾斜している。
【００５６】
リブ７２は、主部７６とサイド部７８とを有している。主部７６は、リング状である。主部７６は、接地面８０を有している。サイド部７８は、軸方向において、主部７６よりも内側又は外側に位置している。サイド部７８は、リング状である。本実施形態では、サイド部７８の材質は、ベース７０の材質と同一である。本実施形態では、サイド部７８は、ベース７０と一体で予備成形される。
【００５７】
主部７６の材質は、図２に示された主部４６の材質と同じである。サイド部７８の材質は、図２に示されたサイド部４８の材質と同じである。サイド部７８の硬度は、主部７６の硬度よりも大きい。
【００５８】
図７に示された仮想線（二点鎖線）は、サイド部７８とベース７０との境界である。サイド部７８の軸方向断面における形状は、略三角形である。このサイド部７８は、半径方向外向きにテーパーである。仮想線は、この三角形の底辺に相当する。
【００５９】
このタイヤでは、サイド部７８の断面形状が三角形なので、サイド部７８が十分なボリュームを有するにもかかわらず、接地面８０でのサイド部７８の露出面積が小さい。サイド部７８が十分なボリュームを有するので、凸部の剛性は大きい。接地面８０でのサイド部７８の露出面積が小さいので、このサイド部７８はトレッド６８のグリップ性能を阻害しない。このタイヤでは、グリップ性能と水はけ性能とが両立される。
【００６０】
このタイヤのサイド部７８においても、幅Ｗの高さＨに対する比（Ｗ／Ｈ）は、０．３以上１．２以下が好ましい。比（Ｗ／Ｈ）は、０．５以上が特に好ましい。比（Ｗ／Ｈ）は、１．０以下が特に好ましい。
【００６１】
主部７６の直下におけるベース７０の厚みは、主溝７４の直下におけるベース７０の厚みよりも大きい。厚いベース７０を有するトレッド６８の剛性は、大きい。このトレッド６８は、水はけ性能に優れる。
【００６２】
トレッドが、リブに代えて、凸部として多数のブロックを有してもよい。それぞれのブロックは、凹部に囲まれる。このブロックは、主部とサイド部とを有する。サイド部は、軸方向において、主部よりも内側又は外側に位置する。サイド部の硬度は、主部の硬度よりも大きい。サイド部の軸方向断面における形状は、略三角形である。このサイド部は、半径方向外向きにテーパーである。このサイド部を有するブロックの剛性は、大きい。好ましくは、ブロックは、主部の内側に位置するサイド部と、主部の外側に位置するサイド部とを有する。
【実施例】
【００６３】
以下、実施例によって本発明の効果が明らかにされるが、この実施例の記載に基づいて本発明が限定的に解釈されるべきではない。
【００６４】
［実施例１］
図１−３に示されたタイヤを製作した。このタイヤのサイズは、２６５／３５Ｒ１８である。このタイヤは、ベースとリブとを有している。リブは、主部とサイド部とを有している。このタイヤの比（Ｗ／Ｈ）は、０．８である。このタイヤの比（Ｈｓ／Ｈｍ）は、１．５である。
【００６５】
［実施例２−４及び比較例１］
比（Ｈｓ／Ｈｍ）を下記の表１に示される通りとした他は実施例１と同様にして、実施例２−４及び比較例１のタイヤを得た。
【００６６】
［実施例５−８］
比（Ｗ／Ｈ）を下記の表２に示される通りとした他は実施例１と同様にして、実施例５−８のタイヤを得た。
【００６７】
［比較例２］
ベルトに積層されたベース層とこのベース層に積層されたキャップ層とを有するトレッドを備えたタイヤを、製作した。このタイヤの、トレッド以外の部材の構造は、実施例１に係るタイヤのそれらと同じである。このトレッドのリブにおいて、ベース層の厚みはキャップ層の厚みと同一である。このトレッドにおいて、ベース層の硬度はキャップ層の硬度の１．５倍である。
【００６８】
［比較例３］
図８に示されたタイヤを製作した。このタイヤの、トレッド以外の部材の構造は、実施例１に係るタイヤのそれらと同じである。このタイヤは、ベースとリブとを有している。リブは、主部とサイド部とを有している。このタイヤのサイド部の厚みＴは、１ｍｍである。このタイヤでは、サイド部の硬度Ｈｓの、主部の硬度Ｈｍに対する比（Ｈｓ／Ｈｍ）は、１．５である。
【００６９】
［比較例４及び５］
サイド部の厚みＴを下記の表３に示される通りとした他は比較例３と同様にして、比較例４及び５のタイヤを得た。
【００７０】
［摩擦係数］
水平に延在するガラス板の上に、深さが１ｍｍである水膜を形成した。タイヤをリムに組み込んで、このタイヤに、空気を充填した。タイヤの内圧は、１８０ｋＰａであった。このタイヤを、トレッドがガラス板に接触するように、ガラス板の上に置いた。このタイヤに横方向の力をかけた。力を徐々に大きくし、タイヤがスリップを開始したときの力を測定した。この力に基づき、摩擦係数を算出した。この結果が、指数として、下記の表１−３に示されている。
【００７１】
［水はけ性能］
インサイドドラム試験機に、タイヤを装着した。このドラムの内周面に、水膜を形成した。このドラム内でタイヤを走行させ、徐々に速度を大きくした。ハイドロプレーニングが生じたときの速度を、測定した。この結果が、指数として、下記の表１−３に示されている。
【００７２】
【表１】
2015107776.tif 000003
【００７３】
【表２】
2015107776.tif 000004
【００７４】
【表３】
2015107776.tif 000005
【００７５】
表１−３に示されるように、各実施例に係るタイヤは、グリップ性能及び水はけ性能に優れている。この評価結果から、本発明の優位性は明らかである。
【産業上の利用可能性】
【００７６】
本発明に係るタイヤは、種々の車両に装着されうる。
【符号の説明】
【００７７】
１０・・・空気入りタイヤ
１２、５２、６８・・・トレッド
２６、５４、７０・・・ベース
２８、５６、７２・・・リブ
３０、５８、７４・・・主溝
４６、６２、７６・・・主部
４８、６４、７８・・・サイド部
５０、６６、８０・・・接地面
６０・・・カバー層
【図１】
2015107776.tif 000006
【図２】
2015107776.tif 000007
【図３】
2015107776.tif 000008
【図４】
2015107776.tif 000009
【図５】
2015107776.tif 000010
【図６】
2015107776.tif 000011
【図７】
2015107776.tif 000012
【図８】
2015107776.tif 000013